(57)【要約】【課題】  棚板を水平に架設する通常タイプの書架構造、即ち、側面内面のスロット支持体が前後に２列しか設けられていない側板と棚板を供えた書架であっても、薄物製品の表紙（正面）を前面に向けた斜め姿勢で展示できる機能を具備した書架（棚）を提供すること。【解決手段】  棚の側板１１内面に配置されるアタッチメント部材４１であって、前記側板１１内面に設けられた前後２列のスロット１３に嵌合する突起を当該アタッチメント部材４１の長さ方向の両端近くの外面に設けると共に、このアタッチメント部材４１の上辺に、薄物製品の上部側の背面を支持する横バー部材５１をその長さ方向の両端部において係止する切欠などの係止部４５を設けたアタッチメント部材４１と、前記横バー部材５１と、傾斜姿勢に支持された薄物製品３１の下端の支持部２４を形成した前記スロット１３に架設される棚板２１とを備えて形成したこと。【選択図】図１
2006141735.tif 000002
【特許請求の範囲】
【請求項１】
棚の側板内面に配置されるアタッチメント部材であって、前記側板内面に設けられた前後２列のスロットに嵌合する突起を当該アタッチメント部材の長さ方向の両端近くの外面に設けると共に、このアタッチメント部材の上辺に、薄物製品の上部側の背面を支持する横バー部材をその長さ方向の両端部において係止する切欠などの係止部を設けたアタッチメント部材と、前記横バー部材と、傾斜姿勢に支持された薄物製品の下端の支持部を形成した前記スロットに架設される棚板とを備えて形成したことを特徴とする薄物製品の展示ができる棚。
【請求項２】
薄物製品下端の支持部は、棚板裏面に設けた棚板受け突起、又は、棚板の表面または裏面に設けた溝部により形成した請求項１の棚。
【請求項３】
薄物製品下端の支持部を裏面に設けた棚板は、薄物製品を展示するとき当該裏面を上面に向けて側板に架設した請求項１又は２の棚。
【請求項４】
棚は、木製又は金属製、若しくは少なくとも木質材と金属材を複合して用いて製したものである請求項１〜３のいずれかの棚。
【発明の詳細な説明】
【技術分野】
【０００１】
本発明は、通常の書架などの棚と同様に、書籍の背表紙を前面に見せて多数の書籍を並べることができることは勿論、特に書籍やＣＤ、ＤＶＤなどのような薄手の製品（以下、薄物製品という）の表紙を前面に見せて展示することができる機能を備えた薄物製品の展示の好適な棚（以下、書架ともいう）に関する。
【背景技術】
【０００２】
従来、図書館や書店などにおいて、雑誌などの書籍やＣＤ、ＤＶＤなどの薄物製品を、その表紙を正面に向けて展示するには、当該薄物製品を後傾姿勢で支持する専用書架が用いられることが多い。（特許文献１参照）
【０００３】
しかし、専用書架は、展示すべき薄物製品の多寡によって、専用書架が不足したり、或いは余ったりした場合、この状況に柔軟かつ迅速に対応できないという難点を抱えている。
【０００４】
このような点に対応するため、通常の書架を薄物製品の展示に転用できる構造を備えた通常書架が提案され、実用に供されているものもある。
【０００５】
転用構造を備えた書架の一例は、書架の棚板を支える左右の側板の内面に、棚板係止用のスロットを上下方向に等ピッチで列設したスロット支持体の３〜４本を、側板の奥行き方向に平行かつ等間隔で設け、棚板の架設角度を水平から任意の前傾角（前下がり勾配）で設けるようにしたり、或は、棚板は水平に架設したままで、薄物製品を斜めの姿勢で支持するための横バー部材を前記スロット支持体に別に架設し、水平の棚板とその架設された横バー部材の２箇所で薄物製品を斜めの姿勢に保持できるようにしたものがある。
【０００６】
しかし、上記構成のものは、左右の側板内面に３本以上のスロット支持体を設ける必要があること（因みに、水平な棚板の支持は２列のスロット支持体があれば足りる）、棚板の架設角度を水平から任意の傾斜角に変更できる棚板は、棚板の側端に傾斜架設時にスロットに係合させるための爪部材やアタッチメントなどの別構造が不可欠であることなど、余計は構造や部品を必要とするという問題があり、その文コスト高にもなる。
【特許文献１】特開２００２−３４５５７０
【発明の開示】
【発明が解決しようとする課題】
【０００７】
そこで本発明では、棚板を水平に架設する通常タイプの書架構造、即ち、側面内面のスロット支持体が前後に２列しか設けられていない側板と棚板を供えた書架であっても、薄物製品の表紙（正面）を前面に向けた斜め姿勢で展示できる機能を具備した書架（棚）を提供することを、その課題とする。
【課題を解決するための手段】
【０００８】
上記課題を解決することを目的としてなされた本発明展示棚又は書架（以下、単に棚という）の構成は、棚の側板内面に配置されるアタッチメント部材であって、前記側板内面に設けられた前後２列のスロットに嵌合する突起を当該アタッチメント部材の長さ方向の両端近くの外面に設けると共に、このアタッチメント部材の上辺に、薄物製品の上部側の背面を支持する横バー部材をその長さ方向の両端部において係止する切欠などの係止部を設けたアタッチメント部材と、前記横バー部材と、傾斜姿勢に支持された薄物製品の下端の支持部を形成した前記スロットに架設される棚板とを備えて形成したことを特徴とするものである。
【０００９】
上記構成における薄物製品下端の支持部は、棚板裏面に設けた突起部又は溝部により形成することが出来る。また、下端支持部を溝部により形成する場合は、棚板の表側に設けてもよい。棚板の表面側に溝部を設けると、通常書籍の展示と薄物製品の展示変えなどで棚板をいちいち反転させる必要がなくなる。
【発明の効果】
【００１０】
本発明では、棚の側板内面に配置されるアタッチメント部材であって、前記側板内面に設けられた前後２列のスロットに嵌合する突起を当該アタッチメント部材の長さ方向の両端近くの外面に設けると共に、このアタッチメント部材の上辺に、薄物製品の上部側の背面を支持する横バー部材をその長さ方向の両端部において係止する切欠などの係止部を設けたアタッチメント部材と、前記横バー部材と、傾斜姿勢に支持された薄物製品の下端の支持部を形成した前記スロットに架設される棚板とにより、薄物製品の展示ができる棚を形成したので、側面内面のスロット支持体が前後に２列しか設けられていない側板と棚板を供えた通常書架であっても、表紙（正面）を前面に向けた斜め姿勢で薄物製品を展示できる。
【００１１】
上記構成の本発明棚において、薄物製品下端の支持部を、棚板裏面に設けた棚板受け突起又は溝部により棚板裏面に形成すると、棚板の表面を上にして左右の側板に架設すれば、通常の書籍の背表紙を前面に並べる通常書架の棚板として用いることができ、裏返して架設することにより薄物製品の表紙や正面を前面にして傾斜させた展示用の棚板として用いることができる。また、前記溝部は棚板の表（上）面に設けてもよい。こうすると、通常書籍などと薄物製品の展示変えにあたり、棚板の表裏反転の架設換えが不用になる。本発明が適用できる棚又は書架の材質は、木製、金属製、プラスチック製などいずれの材料製でもよく、また、これらの材料を複合して使用したものにも勿論適用可能であるから、汎用性が高い。
【発明を実施するための最良の形態】
【００１２】
次に、図を参照して本発明の薄物製品の展示ができる棚の実施の形態例について説明する。図において、図１は本発明の薄物製品の展示ができる棚の一実施例を示す斜視図、図２は図１の２−２線に沿って見た断面図、図３は図２の３−３線に沿う断面図、図４は図２の４−４線に沿う断面図、図５は通常書架としての使用状態を示す断面図である。
【００１３】
本発明を適用する棚は、例えばＤＶＤなどの薄物製品をその前面を傾斜して並べて展示するためのもので、公知の書架と同様に、一対の左右側板と両側板の上部を連結する上板と両側板の下部を連結する底板とを少なくとも備え、必要に応じ、側板の背面を連結する一又は複数の背板やブレーズなどによって前面が開放された枠体を形成し、複数の棚板を側板間に架設することによって構成したものである。なお、前記棚は片面のみから製品の出し入れをする片面出入れタイプであるが、本発明は前後両面から出し入れする両面出入れタイプの棚にも当然適用可能である。
【００１４】
図１には、片方の側板が参照符号１１で、一つの背板が１２で示してある。各側板１１は、合板や金属板などからなっており、内面に２列のスロット１３を設けてある。各スロット列は、側板１１に開設した丸穴からなり、上下方向に等間隔に配列されている。背板１２はその一端を側板１１に、図に現れない他端をもう一方の側板（図示せず）に結合されている。
【００１５】
各棚板２１は、概ね長方形の平面板からなる棚板本体２２を有し、棚板本体２２の後端縁には棚板本体２２と直交する向きで合板などのバックスストッパ２３が接合されている。本発明棚では、棚板本体２２が、その裏面（図１では裏返し架設で上面）に薄物製品下端部の展示時の滑動を阻止するための支持部２４を備えている。支持部２４は、木質系角材などによる条材からなり、図の例ではその下面を棚板本体２２に適宜手段で接合し、棚板本体２２の長手方向に延びる突条形態に形成されている。
【００１６】
各棚板２１は、支持部２４を上方に向け、図２及び図４に例示する棚板受け金具２５によって側板１１に取り付けられる。棚板受け金具２５は、水平辺部２６とその両端から９０度上部方向に立ち上がる垂直辺部２７とを備え、各垂直辺部２７には水平方向に延びる棚板受け突起２８を設けている。各棚板受け突起２８は、側板１１のスロット１３に嵌合する直径の丸軸からなる。この棚板受け金具２５は、突起２８を側板１１のスロット１３に嵌入して、左右の側板１１に取付け、この状態で棚板２１における棚板本体２２の端部下面を前記棚板受け金具２５の水平辺部２６に載置するため、棚板本体２２の端縁にある縦溝１４を垂直辺部２７に上方から通すことにより、前記水平辺部２６に支持されて側板１１の間に架設される。
【００１７】
薄物製品３１は、その下部が前滑りを支持部２４に阻止されて棚板２１に、上部背面をアタッチメント部材４１に取り付けた横バー部材５１に、それぞれ支持されて傾斜展示される。
【００１８】
次に、アタッチメント部材４１であるが、この部材４１は、その板状本体４２が、図２及び図３に例示するように、側板１１にある２列のスロット１３の前後間隔よりも大きな長さを有し、側板１１に向かって延びる４本の突起４３，４４を備えている。この前後両端にある突起４３は、このアタッチメント部材４１を側板１１に固定するための嵌合突起で、スロット１３に嵌合可能な直径を有する丸軸からなる。アタッチメン部材４１は、両端の突起４３をスロット１３に嵌入することで、側板１１に取付けられる。突起４３の間にある２本の突起４４は、スペーサ突起で、嵌合突起４３よりも短く、アタッチメント本体４２と側板１１の内面との間にスペースｓを形成すると共に、突起４３の嵌合長さを規制する。これらの突起４３，４４は、アタッチメント本体４２から独立した部材として構成し、アタッチメント本体４２に組み付けても、金属成型や合成樹脂成型などによってアタッチメント本体４２との一体成型物として構成してもよい。アタッチメント本体４２の上縁には少なくとも１箇所、図の例では３箇所に係止部４５が設けてある。この係止部４５は、上端を開放された縦長溝或いは切欠からなる。
【００１９】
左右の側板１１の内面に対向して配置されたアタッチメント部材４１に架設される横バー部材５１は次の構成を備える。即ち、横バー部材５１は、左右の両アタッチメント部材４１間の距離よりも少し長い、金属、木、合成樹脂などによる適宜断面形状、例えば、多角形や円形などを有する棒材からなり、両端部の外周面に凹部５２を周設して形成されている。この横バー部材５１は、両外端近傍の凹部５２をアタッチメント部材４１の係止部４５に嵌めてこの部材４１に架設支持されると共に、両端にある頭部５３によってアタッチメント本体４２の上で左右にずれる動きが阻止される。
【００２０】
本発明による棚は、図１及び図２に示すように、ＤＶＤなどの薄物製品３１を横バー部材５１と支持部２４との間の空間に収め、薄物製品３１の上部背面を横バー部材５１に全面に当接させ、下部を支持部２４の背面に当接させることにより、当該薄物製品３１を前面を傾斜させた状態で展示することができる。このとき、薄物製品３１は横バー５１と支持部２４によって傾斜状態が保持され、多少の揺れなどがあっても、安定してその姿勢を保つことができる。
【００２１】
本発明による棚は、上記のように、薄物製品３１を傾斜展示することができるばかりか、図１，図３の棚板２１を上下（表裏）反転させて側板１１に架設することにより、通常の書架としても使用することができる。例えば、図５に示すように、横バー部材５１をアタッチメント部材４１から外すと共に、アタッチメント部材４１を側板１１から取外す一方、抜棚板２１の上下を反転させるため裏返した棚板本体２２の端縁にある縦溝１４を垂直辺部２７に通し、棚板本体２２の下面（もとの上面）を棚板受け金具２５の水平辺部２６に載せると、バックストッパ１６が棚板背面から上部に向かって起立した反転姿勢になる。これによって書籍などの厚物製品３２を、背表紙を前面に向けて棚板２１の上に載せることができ、バックストッパ１６によって向こう側への落下を阻止できる。
【００２２】
以上に説明した実施例において、傾斜展示する薄物製品３１はＤＶＤのほかＣＤ、雑誌などの書籍などであってもよい。また、側板１１、背板１２、棚板２１などは、木製として説明したが、金属製や合成樹脂製、或は、複合材料製であってよく、この点はアタッチメント部材４１及び横バー部材５１についても同様である。また、薄物製品３１の下端を支持する棚板２１にある支持部２４は、一例として木製角材によって形成された突条部としたが、異なる断面形状をもつ他の材料で構成してもよい。例えば摩擦抵抗の大きな表面をもつテープや帯材などの長尺材を用いてもよく、このような長尺材に長溝や凹みなどの溝部形態が形成されたものであってもよい。
【００２３】
更に、横バー部材５１の係止部４５に対する係止位置を選択することによって、薄物製品３１の傾斜角度を変えることができる。例えば、横バー部材５１を後方の係止部４５に取り付ければ、薄物製品３１の前面が棚板２１の表面に対する角度が大きくなり、前方の係止部４５に取り付ければ、角度が小さくなる。また、アタッチメント部材４１のスロット１３に対する上下方向での位置を選択しても薄物製品３１の傾斜角を変更できるほか、当該製品３１の縦方向の大きさの違いにも対応することができる。これにより薄物製品３１の高さに応じて、係止部４５の位置を棚の前後及び／又は上下で選択することができるので、薄物製品３１の前面を購入者に見易く展示できる。
【図面の簡単な説明】
【００２４】
【図１】本発明の薄物製品の展示ができる棚の一実施例を示す斜視図。
【図２】図１の２−２線に沿って見た断面図。
【図３】図２の３−３線に沿う断面図。
【図４】図２の４−４線に沿う断面図。
【図５】通常棚としての使用状態を示す断面図。
【符号の説明】
【００２５】
１１      側板
１２      背板
１３      スロット
１４      縦溝
２１      棚板
２２      棚板本体
２３      バックストッパ
２４      支持部
２５      棚板受け金具
２６      水平辺部
２７      垂直辺部
２８      棚板受け突起
３１      薄物製品
３２      厚物製品
４１      アタッチメント部材
４２      アタッチメント本体
４３      突起（嵌合突起）
４４      突起（スペーサ突起）
４５      係止部
５１      横バー部材
５２      凹部
５３      頭部
【図１】
2006141735.tif 000003
【図２】
2006141735.tif 000004
【図３】
2006141735.tif 000005
【図４】
2006141735.tif 000006
【図５】
2006141735.tif 000007